(57)【特許請求の範囲】
【請求項１】
室温でコレステリック相を示す液晶を用い、かつ、ラビング処理を施さない配向制御膜を用いた、メモリ性を有する少なくとも一つの表示層からなる反射型の液晶表示素子と、
一つの表示層を画素ごとにプレーナ状態、フォーカルコニック状態及び中間調表示状態で表示させるように画像の書き込みを行う駆動回路と、
前記駆動回路に接続されたデータ処理装置と、
前記駆動回路及び前記データ処理装置への電力供給を行う電力供給回路と、
主電源のオン、オフを行うための電源スイッチと、
前記電源スイッチとは独立して設けられ、前記液晶表示素子の表示画面を単色で塗りつぶすように書き込みを行って画面をリセットすることを指示するためのリセットキーと、
前記液晶表示素子に画像の書き込みを行った後に、前記電力供給回路の少なくとも一部又は／及び前記データ処理装置の少なくとも一部の内部回路を不作動状態とし、電力供給回路の一部又は／及びデータ処理装置の内部回路を不作動状態とした後も、液晶表示素子のメモリ性及び反射特性を利用して画像を視認可能な状態に維持させる制御手段と、
を備えたことを特徴とする液晶表示装置。
【請求項２】
前記液晶表示素子は、ネマティック液晶に室温でコレステリック相を示すのに十分な量のカイラルドーパントを添加した液晶を用いて表示画面を構成したものであることを特徴とする請求項１記載の液晶表示装置。
【請求項３】
前記液晶表示素子は、フルカラー表示可能なものであることを特徴とする請求項１又は請求項２記載の液晶表示装置。
【請求項４】
前記液晶表示素子は、メモリ性を有する反射型液晶を含む複数の表示層を積層してなるものであることを特徴とする請求項１、請求項２又は請求項３記載の液晶表示装置。
【請求項５】
請求項１記載の複数の液晶表示装置と、
前記複数の液晶表示装置が接続されたホスト装置と、
を備えたことを特徴とする表示システム。
【発明の詳細な説明】
【０００１】
【発明の属する技術分野】
本発明は、液晶表示装置、特に、メモリ性を有する反射型液晶を用いた液晶表示装置、及び該液晶表示装置を備えた表示システムに関する。
【０００２】
【発明の背景と課題】
近年、液晶を用いて表示画面を構成した表示装置が広く普及している。液晶表示素子は各種のものが提供されており、メモリ性を有する表示素子としては、強誘電性液晶やコレステリック相を示す液晶を用いた反射型の素子が知られている。ＴＮ型等の一般的に用いられている液晶表示素子はごく短い時間周期で画像の書き込みを繰り返し、表示を維持する、いわゆるリフレッシュ駆動を行う。これに対して、メモリ型液晶表示素子は、駆動電圧の印加停止後も書き込まれた画像が保持され、省電力の点で優れている。
【０００３】
そこで、本発明の目的は、より一層の省電力化を図るようにした、常時表示を視認可能でかつ屋外でも視認性の良好なメモリ性を有する反射型液晶を用いた液晶表示装置及び表示システムを提供することにある。
【０００４】
本発明の他の目的は、多様なデータソースに対応してそのコンテンツを表示可能であり、表示の機密性を容易に保持できる液晶表示装置を提供することにある。
【０００５】
【発明の構成、作用及び効果】
以上の目的を達成するため、第１の発明に係る液晶表示装置は、室温でコレステリック相を示す液晶を用い、かつ、ラビング処理を施さない配向制御膜を用いた、メモリ性を有する少なくとも一つの表示層からなる反射型の液晶表示素子と、一つの表示層を画素ごとにプレーナ状態、フォーカルコニック状態及び中間調表示状態で表示させるように画像の書き込みを行う駆動回路と、この駆動回路に接続されたデータ処理装置と、前記駆動回路及び前記データ処理装置への電力供給を行う電力供給回路と、主電源のオン、オフを行うための電源スイッチと、該電源スイッチとは独立して設けられ、前記液晶表示素子の表示画面を単色で塗りつぶすように書き込みを行って画面をリセットすることを指示するためのリセットキーと、前記液晶表示素子に画像の書き込みを行った後に、前記電力供給回路の少なくとも一部又は／及び前記データ処理装置の少なくとも一部の内部回路を不作動状態とし、電力供給回路の一部又は／及びデータ処理装置の内部回路を不作動状態とした後も、液晶表示素子のメモリ性及び反射特性を利用して画像を視認可能な状態に維持させる制御手段とを備えたことを特徴とする。
【０００６】
第１の発明に係る液晶表示装置で使用されているメモリ性を有する反射型液晶は画面を書き換えた後は電力の供給を停止しても画像が保持されるため、その制御方法として、画像の書き込みを行った後に、電力供給回路の少なくとも一部又は／及びデータ処理装置の少なくとも一部の内部回路を不作動状態にする。さらに、電力供給回路の一部又は／及びデータ処理装置の内部回路を不作動状態とした後も、液晶表示素子のメモリ性及び反射特性を利用して画像を視認可能な状態に維持させる。これにて、常時表示を視認可能であると共に、待機時での電力消費を抑えることができ、省電力効果を一層高くすることができる。また、画面に入射する外光によって表示を行う反射型液晶を用いているのでバックライトが不要であり、極めて省電力効果が高いことは勿論、屋外でも良好な視認性を保持する。
【０００７】
第１の発明に係る液晶表示装置において、液晶表示素子は、ネマティック液晶に室温でコレステリック相を示すのに十分な量のカイラルドーパントを添加した液晶を用いて表示画面を構成したものであってもよい。ネマティック液晶とカイラルドーパントとの混合比を制御することで表示色調を微調整することができ、視認性が向上する。
【０００８】
また、前記液晶表示素子は、複数の走査電極と複数の信号電極との間に液晶層を挟持し、マトリクス駆動を行う、中間調表示可能なものであることが好ましい。表示の表現力が向上する。
【０００９】
さらに、前記液晶表示素子は、フルカラー表示可能なものであることが好ましい。フルカラー表示とすれば、画像認識の良好な表示が可能になる。
【００１０】
さらに、前記液晶表示素子は、メモリ性を有する反射型液晶を含む複数の表示層を積層してなるものであってもよい。明るい表示が可能であり、フルカラー表示に対応することができる。
【００１１】
さらに、前記液晶表示素子は、ラビング処理を施さない配向制御膜を有しており、表示特性の経時的変化を防止することができると共に、視野角依存性を低減させ、視認性が向上する。
【００１２】
また、第１の発明に係る液晶表示装置においては、液晶表示素子の表示画面を単色で塗りつぶすように書き込みを行って画面をリセットすることを指示するためのリセットキーを備えている。機密保持や画面の焼付き防止のためにユーザが必要とするときに画面をリセットすることができる。
【００１３】
第２の発明に係る表示システムは、複数の前記液晶表示装置と、これら複数の液晶表示装置が接続されたホスト装置とを備えたことを特徴とする。前述の種々の効果を備えた表示システムを構築することができる。
【００１６】
【発明の実施の形態】
以下、本発明に係る液晶表示装置及び表示システムの実施形態について、添付図面を参照して説明する。
【００１７】
（ディスプレイ装置の構成、図１〜図４参照）
図１、図２は、本発明の第１実施形態であるディスプレイ装置１０の外観を示す。このディスプレイ装置１０は、パソコン１のサブディスプレイとして使用されるもので、支持台２０と、支持アーム３０と、枠体４０とフルカラーの液晶表示素子１００とで構成されている。
【００１８】
ディスプレイ装置１０には頻繁に書き換える必要のない固定情報、例えば、スケジュール表、カレンダ、電話帳、住所録、メモ、地図、電子メール着信情報などが表示される。これらの固定情報をサブディスプレイとしての装置１０に表示することにより、パソコン１のディスプレイの全領域を有効に使用して編集等の作業を効率よく行うことができるようになる。ディスプレイ装置１０には、マルチウィンドウを表示する際に別ウィンドウの下に隠れる非アクティブウィンドウを表示させたり、最後に閉じられたウィンドウを表示させてもよい。鑑賞用画像を表示させてもよい。いずれにしても後述するようにディスプレイ装置１０はカラー表示が可能であるため、カラフルで視認性のよい表示が可能である。
【００１９】
枠体４０は、液晶表示素子１００を着脱するための着脱口４１が形成されており、また、図４に示すように支持アーム３０に対して回転軸３１を介して取り付けられ、回転軸３１を支点として回転可能である。図１は液晶表示素子１００を縦長状態で使用している場合を示し、図２は９０°回転させて横長状態で使用している場合を示す。回転は使用者が枠体４０を手で回して行うようにしてもよいし、回転軸３１にモータを含む駆動機構を設けて自動的に切り換えるようにしてもよい。
【００２０】
図３は液晶表示素子１００を枠体４０から取り出した状態を示し、図４は着脱に関する機構を示している。詳しくは、枠体４０は背面固定枠４２と前面枠４３とからなり、前面枠４３は固定具４４によって背面固定枠４２に締め付け／固定される。このとき、液晶表示素子１００は背面固定枠４２に設けた位置決め兼押出し部材４５によって位置決めされ、装着状態はセンサ４６によって検出される。また、以下に詳述するように、液晶表示素子１００にはマトリクス状に配置された走査電極及び信号電極を有し、これらの電極は装着時に走査駆動ＩＣ端子部１３３及び信号駆動ＩＣ端子部１３４に電気的に接続される。
【００２１】
一方、液晶表示素子１００は固定具４４を弛めることで部材４５で押し出され、着脱口４１から取り出すことができる。図３に示すように、取り出した液晶表示素子１００には正面に電極１１４の端部が、背面に電極１１３（図３では図示せず）の端部が露出することになる。そのため、電極１１３，１１４を保護するためのカバーを用意することが好ましい。液晶表示素子１００は薄いものであり、メモリ性を有しているため、枠体４０から取り出してペーパーライクな使用が可能である。電極保護カバーを硬質材料にて形成すれば、液晶表示素子１００を通常のペーパーと誤認することはなく、シュレッダに投入してしまうような事故を予防できる。また、ペーパーライクな使用を考慮して液晶表示素子１００の縁部（表示画面以外の領域）に特定の情報を印刷しておいてもよい。
【００２２】
（液晶表示素子、図５〜図７参照）
次に、ディスプレイ装置１０に組み込まれている液晶表示素子１００について図５を参照して説明する。この液晶表示素子１００は光吸収層１２１の上に、赤色の選択反射と透明状態の切り換えにより表示を行う赤色表示層１１１Ｒを配し、その上に緑色の選択反射と透明状態の切り換えにより表示を行う緑色表示層１１１Ｇを積層し、さらに、その上に青色の選択反射と透明状態の切り換えにより表示を行う青色表示層１１１Ｂを積層したものである。
【００２３】
各表示層１１１Ｒ，１１１Ｇ，１１１Ｂは、それぞれ透明電極１１３，１１４を形成した透明基板１１２間に樹脂製柱状構造物１１５、液晶１１６及びスペーサ１１７を挟持したものである。透明電極１１３，１１４上には必要に応じて絶縁膜１１８、配向制御膜１１９が設けられる。また、基板１１２の外周部（表示領域外）には液晶１１６を封止するためのシール材１２０が設けられる。
【００２４】
透明電極１１３，１１４はそれぞれ画像処理装置に接続するために外方に引き出されている。図５では信号電極１１４が接続端子部１３４に異方性導電ゴム１４３を介して接続される状態を示す。そして、透明電極１１３，１１４の間には駆動制御部からそれぞれ所定のパルス電圧が印加される。この印加電圧に応答して、液晶１１６が可視光を透過する透明状態と特定波長の可視光を選択的に反射する選択反射状態との間で表示が切り換えられる。
【００２５】
各表示層１１１Ｒ，１１１Ｇ，１１１Ｂに設けられている透明電極１１３，１１４は、それぞれ微細な間隔を保って平行に並べられた複数の帯状電極よりなり、その帯状電極の並ぶ向きが互いに直角方向となるように対向させてある。これら上下の帯状電極に順次通電が行われる。即ち、各液晶１１６に対してマトリクス状に順次電圧が印加されて表示が行われる。これをマトリクス駆動と称する。このようなマトリクス駆動を各表示層ごとに順次、もしくは同時に行うことにより液晶表示素子１００にフルカラー画像の表示を行う。
【００２６】
詳しくは、２枚の基板間にコレステリック相を示す液晶を挟持した液晶表示素子では、液晶の状態をプレーナ状態とフォーカルコニック状態に切り換えて表示を行う。液晶がプレーナ状態の場合、コレステリック液晶の螺旋ピッチをＰ、液晶の平均屈折率をｎとすると、波長λ＝Ｐ・ｎの光が選択的に反射される。また、フォーカルコニック状態では、コレステリック液晶の選択反射波長が赤外光域にある場合には散乱し、それよりも短い場合には可視光を透過する。そのため、選択反射波長を可視光域に設定し、素子の観察側と反対側に光吸収層を設けることにより、プレーナ状態で選択反射色の表示、フォーカルコニック状態で黒の表示が可能になる。また、選択反射波長を赤外光域に設定し、素子の観察側と反対側に光吸収層を設けることにより、プレーナ状態では赤外光域の波長の光を反射するが可視光域の波長の光は透過するので黒の表示、フォーカルコニック状態で散乱による白の表示が可能になる。
【００２７】
（フルカラー表示）
各表示層１１１Ｒ，１１１Ｇ，１１１Ｂを積層した液晶表示素子１００は、青色表示層１１１Ｂ及び緑色表示層１１１Ｇを液晶がフォーカルコニック配列となった透明状態とし、赤色表示層１１１Ｒを液晶がプレーナ配列となった選択反射状態とすることにより、赤色表示を行うことができる。また、青色表示層１１１Ｂを液晶がフォーカルコニック配列となった透明状態とし、緑色表示層１１１Ｇ及び赤色表示層１１１Ｒを液晶がプレーナ配列となった選択反射状態とすることにより、イエローの表示を行うことができる。同様に、各表示層の状態を透明状態と選択反射状態とを適宜選択することにより赤色、緑色、青色、白色、シアン、マゼンタ、イエロー、黒色の表示が可能である。さらに、各表示層１１１Ｒ，１１１Ｇ，１１１Ｂの状態として中間の選択反射状態を選択することにより中間色の表示が可能となり、フルカラー表示素子として利用できる。
【００２８】
液晶表示素子１００における各表示層１１１Ｒ，１１１Ｇ，１１１Ｂの積層順については、図５に示す以外の場合も可能である。しかし、短波長領域に比べて長波長領域の光の方が透過率が高いことを考慮すると、上側の層に含まれる液晶の選択反射波長の方を下側の層に含まれる液晶の選択反射波長よりも短くしておく方が、下側の層へより多くの光が透過するので明るい表示を行うことができる。従って、観察側（矢印Ａ方向）から順に、青色表示層１１１Ｂ、緑色表示層１１１Ｇ、赤色表示層１１１Ｒとなることがもっとも望ましく、この状態が最も好ましい表示品位が得られる。
【００２９】
（表示素子の各種材料）
透明基板１１２としては、無色透明のガラス板や透明樹脂フィルムを使用することができる。透明樹脂フィルムの材料としては、ポリカーボネイト樹脂、ポリエーテルスルフォン樹脂、ポリエチレンテレフタレート樹脂、ノルボルネン樹脂、ポリアリレート樹脂、非晶質ポリオレフィン樹脂、変性アクリレート樹脂等が挙げられる。樹脂フィルムの特性としては、高透光性、光学異方性がない、寸法安定性、表面平滑性、耐摩擦性、耐屈曲性、高電気絶縁性、耐薬品性、耐液晶性、耐熱性、耐湿性、ガスバリヤー性等を有し、使用する環境や用途に合わせて必要な特性を有するものを選択すればよい。
【００３０】
透明電極１１３，１１４としてはＩＴＯ（Indium  Tin  Oxide）等の透明電極が使用可能であり、アルミニウム、シリコン等の金属電極、あるいはアモルファスシリコン、ＢＳＯ（Bismuth  Silicon  Oxide）等の光導電性膜を使用することもできる。また、最下層の透明電極１１４については光吸収体としての役割も含めて黒色の電極を使用することができる。
【００３１】
絶縁膜１１８はガスバリア層としても機能するように酸化シリコンなどの無機膜あるいはポリイミド樹脂、エポキシ樹脂などの有機膜が用いられ、基板１１２間のショートを防いだり、液晶の信頼性を向上させる。また、配向制御膜１１９としてはポリイミドが代表的なものである。
【００３２】
液晶１１６としては、室温でコレステリック相を示すものが好ましく、特に、ネマティック液晶にカイラルドーパントを添加することによって得られるカイラルネマティック液晶が好適である。
【００３３】
カイラルドーパントは、ネマティック液晶に添加された場合にネマティック液晶の分子を捩る作用を有する添加剤である。カイラルドーパントをネマティック液晶に添加することにより、所定の捩れ間隔を有する液晶分子の螺旋構造が生じ、これによりコレステリック相を示す。
【００３４】
カイラルネマティック液晶は、カイラルドーパントの添加量を変えることにより、螺旋構造のピッチを変化させることができ、これにより液晶の選択反射波長を制御することができるという利点がある。なお、一般的には、液晶分子の螺旋構造のピッチを表す用語として、液晶分子の螺旋構造に沿って液晶分子が３６０゜回転したときの分子間の距離で定義される「ヘリカルピッチ」を用いる。
【００３５】
柱状構造物１１５に使用する材料としては、例えば、熱可塑性樹脂を用いることができる。これには、加熱により軟化し冷却により固化する材料で、使用する液晶材料と化学反応を起こさないことと適度な弾性を有することが望まれる。
【００３６】
具体例としては、例えば、ポリ塩化ビニル樹脂、ポリ塩化ビニリデン樹脂、ポリメタクリル酸エステル樹脂、ポリアクリル酸エステル樹脂、ポリ酢酸ビニル樹脂、ポリスチレン樹脂、ポリアミド樹脂、ポリエチレン樹脂、ポリプロピレン樹脂、フッ素樹脂、ポリウレタン樹脂、ポリアクリロニトリル樹脂、ポリビニルエーテル樹脂、ポリビニルケトン樹脂、ポリビニルピロリドン樹脂、ポリカーボネイト樹脂、塩素化ポリエーテル樹脂、飽和ポリエステル樹脂等が挙げられる。
【００３７】
これらを単独か複数混合するか、または少なくともこれらの１種類か混合物を少なくとも含むような材料から柱状構造物１１５を形成すればよい。
【００３８】
前記物質を公知の印刷方法を用い、図６に示すように、ドット柱状を形成するようにパターンを用いて印刷する。液晶表示素子の大きさや、画素解像度により、断面形状の大きさや、配列ピッチ、形状（円柱、太鼓状、多角形柱等）は適宜選択される。また、電極１１３間に優先的に柱状構造物１１５を配置すると開口率が向上するのでより好ましい。
【００３９】
スペーサ１１７としては、加熱や加圧によって変形しない硬質材料からなる粒子が好ましい。例えば、ガラスファイバを微細化したもの、ボール状の珪酸ガラス、アルミナ粉末等の無機材料、あるいはジビニルベンゼン系架橋重合体やポリスチレン系架橋重合体等の有機系合成球状粒が使用可能である。
【００４０】
このように、２枚の基板１１２間のギャップを所定の大きさに保つ硬質のスペーサ１１７と、表示領域内に所定の配置規則に基づいて配置されて一対の基板１１２を接着支持する熱可塑性高分子材料を主成分とする樹脂構造物１１５とを設けることにより、基板１１２の全域にわたって両基板１１２を強固に支持すると共に、配列ムラがなく、しかも、低温環境下において気泡の発生を抑えることができる。
【００４１】
（液晶表示素子の製造例）
ここで、液晶表示素子１００の製造例について簡単に説明する。まず、２枚の透明基板上にそれぞれ複数の帯状の透明電極を形成する。透明電極は、基板上にＩＴＯ膜をスパッタリング法等で形成した後、フォトリソグラフィ法によりパターニングを行って形成する。
【００４２】
次に、透明な絶縁膜や配向制御膜を各基板の透明電極形成面に形成する。絶縁膜及び配向制御膜は、それぞれ、酸化シリコン等の無機材料やポリイミド樹脂などの有機材料を用いて、スパッタリング法、スピンコート法、あるいはロールコート法など公知の方法によって形成することができる。
【００４３】
なお、配向制御膜には通常ラビング処理は施さない。配向制御膜の働きはまだ明確でないが、配向制御膜の存在により、液晶分子に対してある程度のアンカリング効果を持たせることができるものと考えられ、液晶表示素子の特性が経時的に変化するのを防止することができる。また、これらの薄膜に色素を添加するなどしてカラーフィルタとしての機能を持たせ、色純度やコントラストを高めるようにしてもよい。
【００４４】
こうして透明電極、絶縁膜、及び配向制御膜が設けられた一方の基板の電極形成面に樹脂構造物を形成する。樹脂構造物は、樹脂を溶剤に溶解したペースト状の樹脂材料を、スクリーン版やメタルマスク等を介してスキージで押し出して平板上に載置した基板に印刷を行う印刷法、ディスペンサ法やインクジェット法などの、樹脂材料をノズルの先から基板上に吐出して形成する方法、あるいは、樹脂材料を平板あるいはローラ上に供給した後、これを基板表面に転写する転写法などにより形成することができる。樹脂構造物の形成時の高さは、所望の液晶表示層の厚みより大きくすることが望ましい。
【００４５】
他方の基板の電極形成面には、紫外線硬化性樹脂や熱硬化性樹脂等を用いてシール材を設ける。シール材は、基板の外縁部で連続する環状に配置する。シール材の配置は、上述した樹脂構造物と同様に、ディスペンサ法やインクジェット法など樹脂をノズルの先から基板上に吐出して形成する方法や、スクリーン版、メタルマスク等を用いた印刷法、樹脂を平板あるいはローラ上に形成した後、透明基板上に転写する転写法などによって行えばよい。さらに、少なくとも一方の基板の表面に、従来公知の方法によりスペーサを散布する。
【００４６】
そして、これら一対の基板を電極形成面が対向するように重ね合わせ、この基板対の両側から加圧しながら加熱する。加圧及び加熱は、例えば、図７に示すように、平板１５０上に樹脂構造物１１５が形成された基板１１２ａを載せ、対向基板１１２ｂを重ねて、端部から加熱・加圧ローラ１５１により加熱・加圧しながら、ローラ１５１と平板１５０との間を通過させることにより行うことができる。このような方法を用いると、フィルム基板などの可撓性を有するフレキシブル基板を用いても精度よくセルを作製することができる。熱可塑性高分子材料で樹脂構造物を形成しておくと、樹脂構造物を加熱により軟化させ冷却により固化させて、樹脂構造物で両基板を接着させることができる。また、シール材として熱硬化性樹脂材料を用いた場合は、この基板の重ね合わせの際の加熱によりシール材を硬化させるとよい。
【００４７】
この重ね合わせ工程において、液晶材料を一方の基板上に滴下し、基板の重ね合わせと同時に液晶材料を液晶素子に注入する。この場合、予めスペーサを液晶材料に含ませておき、これを少なくとも一方の基板の帯状電極形成面に滴下すればよい。
【００４８】
液晶材料を基板の端部に滴下し、ローラで基板を重ね合わせながら液晶材料を他端へと押し広げることにより、基板全域に液晶材料を充填することができる。こうすることにより、基板を重ね合わせる際に生じた気泡を液晶材料に巻き込むのを低減することができる。
【００４９】
その後、少なくとも樹脂構造物を構成する樹脂材料の軟化温度以下に基板温度が低下するまで基板を加圧し続けてから加圧を停止し、さらに、シール材として光硬化性樹脂材料を用いた場合は、その後に光照射を行ってシール材を硬化させる。
【００５０】
同様の手順で、液晶材料を選択反射波長が異なるものに変更し、青色表示用、緑色表示用、および赤色表示用のセルを作製する。こうして作製したセルを３層に積層し、これらを接着剤で貼りつけ、さらに最下層に光吸収層を設けてフルカラーの液晶表示素子とする。
【００５１】
（電源／制御回路、図８〜図１０参照）
次に、前記液晶ディスプレイ装置１０の電源回路及び制御回路を図８、図９を参照して説明する。
【００５２】
電源回路は、電池等の電源１３５と配電器１３６にて構成されている。配電器１３６は中央処理装置（ＣＰＵ）５１、ＬＣＤコントローラ５５、他の制御回路１４１、入出力デバイス１４２、昇圧回路１３７へ電力を供給する。中央処理装置５１はＬＣＤコントローラ５５、他の制御回路１４１、入出力デバイス１４２と信号を交換し合う。昇圧回路１３７は駆動ＩＣ５９（１３１，１３２、図１０参照）へ所定スペックの電力を供給する。ＬＣＤコントローラ５５は、中央処理装置５１と連係して駆動ＩＣ５９を動作させ液晶表示素子１００を駆動制御する。
【００５３】
中央処理装置５１は、電源スイッチをオンしたときから作動し始める。また、昇圧回路１３７は中央処理装置５１からの指令により、オン／オフすることが可能である。
【００５４】
一方、制御回路は、中央処理装置５１と、画像データを一時記憶する画像メモリ５２と、パソコン１等の外部機器からインターフェース５３を介して送信される画像データに必要な画像処理を施す画像処理装置５４とからなる。中央処理装置５１は各種制御プログラムを記憶したＲＯＭ５７及び各種情報を一時記憶するＲＡＭ５８を備えている。また、中央処理装置５１は操作キー２２、電源スイッチ２３、装着確認センサ４６から信号を入力される。
【００５５】
インターフェース５３を通じて送信されてくる画像データは、画像処理装置５４を介して画像メモリ５２に一旦記憶される。この画像メモリ５２に蓄積されたデータに基づいてＬＣＤコントローラ５５が駆動ＩＣ５９を制御し、液晶表示素子１００の各走査電極及び信号電極間に順次電圧を印加し、液晶表示素子１００に画像を書き込む。液晶表示素子１００は、前述のように、枠体４０から取り出しても表示状態を保つことができる。また、取り出した後に他の表示素子１００を装着して画像の書き込みを続行できる。
【００５６】
液晶表示素子１００の画素構成は、図１０に示すように、それぞれ複数本の走査電極Ｒ１，Ｒ２〜Ｒｍと信号電極Ｃ１，Ｃ２〜Ｃｎ（ｎ，ｍは自然数）とのマトリクスで表される。走査電極Ｒ１，Ｒ２〜Ｒｍは走査駆動ＩＣ１３１の出力端子に接続され、信号電極Ｃ１，Ｃ２〜Ｃｎは信号駆動ＩＣ１３２の出力端子に接続されている。
【００５７】
走査駆動ＩＣ１３１は、走査電極Ｒ１，Ｒ２〜Ｒｍのうち所定のものに選択信号を出力して選択状態とする一方、その他の電極には非選択信号を出力し非選択状態とする。走査駆動ＩＣ１３１は、所定の時間間隔で電極を切り換えながら順次各走査電極Ｒ１，Ｒ２〜Ｒｍに選択信号を印加してゆく。一方、信号駆動ＩＣ１３２は、選択状態にある走査電極Ｒ１，Ｒ２〜Ｒｍ上の各画素を書き換えるべく、画像データに応じた信号を各信号電極Ｃ１，Ｃ２〜Ｃｎに同時に出力する。例えば、走査電極Ｒａが選択されると（ａはａ≦ｍを満たす自然数）、この走査電極Ｒａと各信号電極Ｃ１，Ｃ２〜Ｃｎとの交差部分の画素ＬＲａ−Ｃ１〜ＬＲａ−Ｃｎが同時に書き換えられる。これにより、各画素における走査電極と信号電極との電圧差が画素の書換え電圧となり、各画素がこの書換え電圧に応じて書き換えられる。
【００５８】
ここで、コレステリック相を示す液晶の捩れを解くための第１の閾値電圧をＶth1とすると、電圧Ｖth1を十分な時間印加した後に電圧を第１の閾値電圧Ｖth1よりも小さい第２の閾値電圧Ｖth2以下に下げるとプレーナ状態になる。また、Ｖth2以上でＶth1以下の電圧を十分な時間印加するとフォーカルコニック状態になる。この二つの状態は電圧印加を停止した後でも安定に維持される。また、Ｖth1〜Ｖth2間の電圧を印加することにより、中間調の表示、即ち、階調表示が可能である。
【００５９】
各画素の書換えは前述した方法で行うことができるが、既に画像が表示されている場合、この画像による影響をなくすために、書換え前に各画素を全て同じ表示状態にリセットすることが好ましい。リセットは全画素を一括して行ってもよいし、走査電極ごとに行ってもよい。例えば、各画素をフォーカルコニック状態にリセットする場合は、十分な透明状態が得られるようにするために、比較的長い時間が必要であることが判明している。従って、書換えに先だって全画素を一括してフォーカルコニック状態にリセットすると、各走査電極ごとにリセットを行う場合に比較して、書換えの時間を短くすることができて好ましい。
【００６０】
（他の液晶表示素子）
なお、前記液晶表示素子１００においては、樹脂製柱状構造物が液晶表示層内に含まれる素子構成について説明した。このような構成は、フィルム基板を用いて軽くしかも表示特性の優れた液晶表示素子を作製することができると共に、大型化が容易で、駆動電圧が比較的小さい、衝撃に強いといった種々の優れた特徴を有しており特に有用なものである。しかし、メモリ性液晶自体は必ずしもこの構成に限定されるわけではなく、従来公知の高分子の３次元網目構造のなかに液晶が分散された、あるいは、液晶中に高分子の３次元網目構造が形成された、いわゆる高分子分散型の液晶複合膜として液晶表示層を構成することも可能である。
【００６１】
（制御手順、図１１〜図１３参照）
以下、前記ディスプレイ装置１０において中央処理装置５１が処理する制御手順について、本発明と関連する部分について説明する。
【００６２】
図１１は中央処理装置５１のメインルーチンを示す。ここでは、電源スイッチ２３のオンに基づいて中央処理装置５１が立ち上がり、ステップＳ１でＲＡＭ５８やレジスタ等を初期化する。また、昇圧回路１３７を除き中央処理装置５１に接続される各部への通電を開始する。
【００６３】
次に、ステップＳ２でセンサ４６からの信号に基づいて液晶表示素子１００が装着されていることを確認したうえで、ステップＳ３でＬＣＤコントローラ５５及び駆動ＩＣ５９（１３１，１３２）で構成される液晶表示素子１００の駆動部を作動状態にする。具体的には駆動ＩＣ５９に接続する昇圧回路１３７をオンして、液晶表示素子１００への書き込みが可能な状態とする。また、省電力用タイマをスタートさせる。
【００６４】
次に、ステップＳ４，Ｓ５のサブルーチンを順次コールし、必要な処理を実行する。即ち、ステップＳ４では画面の更新を処理し、ステップＳ５では所定のタイミングで液晶表示素子１００の駆動ＩＣ５９を不作動状態にする。即ち、駆動ＩＣ５９に接続する昇圧回路１３７をオフする省電力処理を行う。なお、これらのサブルーチンについては後述する。
【００６５】
次に、ステップＳ６で使用者からの終了指令（電源スイッチ２３のオフ等）の有無を判定し、終了指令が無ければステップＳ４へ戻り、あればステップＳ７で中央処理装置５１に接続される各部及び中央処理装置５１自身への通電を停止する。
【００６６】
このように、本第１実施形態においては、電源スイッチ２３を設けて、ディスプレイの書き換えが必要ない場合は中央処理装置５１等の動作をも完全に停止して待機電力をゼロとしたので、極めて省電力性の高い表示装置とすることができる。
【００６７】
図１２はステップＳ４で実行される画面更新処理のサブルーチンを示す。ここでは、まず、ステップＳ１１で画面を消去するためのリセットキー（図１に示されているキー２２の一つ）がオンされたか否かを判定する。オンされたのであればステップＳ１２で昇圧回路１３７がオン状態であるか否かを判定する。オン状態であればステップＳ１５で画面をリセットする。一方、オフ状態であればステップＳ１３で昇圧回路１３７をオンし、ステップＳ１４で省電力用タイマをスタートさせた後、ステップＳ１５で画面をリセットする。リセットは、例えば、液晶表示素子１００に、黒、白、またはその他の単色で画面を塗りつぶすように書き込むことによって行う。これにより、表示の不要となった画像を消去したり、表示されたままで他人の目に触れさせたくない画像を消去することができる。
【００６８】
リセット要求がなければ（ステップＳ１１でＮＯ）、ステップＳ１６で外部機器（パソコン１）からデータ送信要求を受信したか否かを判定する。データ送信要求は、例えば、外部端末を操作してカレンダやスケジュール表など外部端末に記憶された所定の画像をサブディスプレイ上に表示する場合や、外部端末の主画面上に表示していたウィンドウ上に新たに別のウィンドウを開いたり、ウィンドウを閉じたりした場合に、主画面上から消去されるウィンドウをサブディスプレイに表示すべく外部端末から送信される。
【００６９】
前記データ送信要求を受信すれば、ステップＳ１７で昇圧回路１３７がオン状態であるか否かを判定する。オン状態であればステップＳ２０で画面を受信画像に書き換える。一方、オフ状態であればステップＳ１８で昇圧回路１３７をオンし、ステップＳ１９で省電力用タイマをスタートさせた後、ステップＳ２０で受信画像に書き換える。
【００７０】
図１３はステップＳ５で実行される省電力処理のサブルーチンを示す。まず、ステップＳ２１で昇圧回路１３７がオフ状態にあるか否かを判定し、オフ状態であれば直ちにこのサブルーチンを終了する。オン状態であれば、ステップＳ２２で省電力用タイマがカウントアップするのを待ち、ステップＳ２３で昇圧回路１３７の電源をオフし、ステップＳ２４で省電力用タイマをリセットする。このように画面を書き換えた後はタイマによる所定時間のカウントを待って消費電力の大きい昇圧回路１３７を停止し、表示を継続することにより、省電力化を図ることが可能となる。また、画像の書き込みから所定時間経過後（例えば５分後）に昇圧回路１３７をオフするので、所定時間が経過するまでは表示装置が待機状態となっており、表示の指令があると直ちに画像の書き込みを行うことができる。従って、短時間の間に続けて画像の書き込みを行う場合の操作性が良好である。
【００７１】
（画像書き込み後の表示素子）
前述の如く画像が書き込まれた液晶表示素子１００に関しては枠体４０から取り外し、新たな液晶表示素子１００を装着して次画像を書き込むことができる。こうして装着、書き込み、取り外しを繰り返せば、１台のディスプレイ装置１０を使用して複数の画像を得ることができる。画像を書き込まれて取り外した表示素子１００はイーゼル等の支持架台上に並べて置けばよい。１枚の大きな画像を複数の表示素子１００に分割して書き込み、並べれば大きな画像を表示することができる。
【００７２】
また、枠体４０から液晶表示素子１００を取り出す際に、該素子１００に付加情報を書き込むようにしてもよい。例えば、複数枚の液晶表示素子１００に分割して１枚の大画像を書き込むのであれば、表示画像を損わない程度に各素子１００に表示位置ないし画像の連絡関係を書き込めばよい。
【００７３】
あるいは、画像の書き込み日時を表示することによって、当該素子１００が枠体４０から取り外されていた時間を把握することができる。取り外されていた時間が所定時間よりも長いときには、この画像情報を特定のキーの操作性によりディスプレイ装置１０に再入力し、画像を再書き込みしてもよい。この場合には液晶表示素子１００に対する駆動電圧を高くしたり、電圧印加時間を長く設定し、駆動方法を変更するようにしてもよい。また、この再入力の際には、画面を一旦リセットしてから書き込んでもよい。あるいは、液晶表示素子１００の温度を検出する手段と、検出された温度に応じて駆動方法（駆動電圧、印加時間等）を変更する手段とを設けてもよい。
【００７４】
さらに、操作者が一時的にディスプレイ装置１０の前を離れる場合等を考慮し、表示画像の秘密性を保持するため、表示画面を一時的に不可視化する手段、例えば壁紙表示手段を制御回路に内蔵してもよい。
【００７５】
（第２実施形態、図１４〜図１７参照）
図１４は本発明に係る液晶表示装置を筐体２０１に一体的に組み込んだ情報表示端末機器（電子書籍装置）２００の外観を示し、図１５はその制御回路を示す。この電子書籍装置２００は、見開き可能な筐体２０１の左右面に、表面にタッチパネルを備えた液晶表示素子２０２，２０３と、表示切り換えやページ送り等を指示する複数の操作キー２０４と、外部機器との間で情報を交換するＩｒＤＡ端子２０５と、ＬＡＮネットワークに接続するためのＬＡＮカードのスロット２０６と、画像データ等を記憶するメモリカード（ＡＴＡメモリカードやスマートメディアなど）のスロット２０７とを備えている。筐体２０１は中央部の支軸２０８を支点として折り畳むことが可能である。
【００７６】
液晶表示素子２０２，２０３は表面にタッチパネルを備えた点以外は前記第１実施形態で説明したのと同様のコレステリック相を示すものが使用されている。
【００７７】
電子書籍装置２００はメインＣＰＵ７０によって制御され、情報はＩｒＤＡ端子２０５、ＬＡＮカード７２、メモリカード７３からＩ／Ｏコントローラ７４を介して入力される。液晶表示素子２０２，２０３はサブＣＰＵ８０によって制御され、複数の操作キー２０４、電源部としてのＤＣ／ＤＣコンバータ８２、タッチパネル８３，８４を備えている。ＣＰＵ７０，８０はＲＡＭ９１、フラッシュメモリ９２を備え、かつ、ＬＣＤコントローラ９３に指令を出して液晶表示素子２０２，２０３を駆動させる。
【００７８】
メインＣＰＵ７０は電池７１を電源として動作する。メインＣＰＵ７０は起床モードとスリープモードとを備えており、画像の書き込みを行う際には起床モード、画像の書き込みが終了するとスリープモードとなる。スリープモードでは、クロックの発振を止めたり、メモリ、レジスタ、カウンタなどの内部回路へのクロックの供給を自ら止めることにより消費電力を抑えるようになっている。メインＣＰＵ７０がスリープモードにある場合、サブＣＰＵ８０から割込み信号を受けると起床モードに移る。
【００７９】
サブＣＰＵ８０も電池８１を電源とするものである。サブＣＰＵ８０は常に作動状態にあり、ＤＣ／ＤＣコンバータ８２のオフ時でもタッチパネル８３，８４及び操作キー２０４からの入力の検出が可能である。サブＣＰＵ８０としては低処理速度で集積度の低い消費電力の小さいものが好適である。
【００８０】
このような制御回路において、サブＣＰＵ８０は、図１６に示すように、ステップＳ５１でタッチパネル８３，８４上に入力があったか否か、ステップＳ５２で操作キー２０４に入力があったか否かを判定し、いずれかの入力があるまで待機する。いずれかの入力があれば、ステップＳ５３でＤＣ／ＤＣコンバータ８２をオンし、ステップＳ５４でメインＣＰＵ７０に割込み信号を与えてメインＣＰＵ７０を起動し、ステップＳ５５でメインＣＰＵ７０へデータを送信する。
【００８１】
一方、図１７に示すように、メインＣＰＵ７０では、ステップＳ６１でサブＣＰＵ８０からデータを受信し、ステップＳ６２でデータの解釈／処理を実行し、ステップＳ６３で該データに基づいて液晶表示素子２０２，２０３に表示を行う。次に、ステップＳ６４で表示更新の完了を確認すると、ステップＳ６５でサブＣＰＵ８０へ動作終了を通知し、ステップＳ６６でスリープ状態となる。
【００８２】
また、前記ステップＳ６４にて更新が完了していないと判断された場合、例えば、連続したページ送りを目的として所定の操作キーを継続して押すなどの継続的キー操作が行われた場合、ステップＳ６２，Ｓ６３に戻り表示更新を再び実行する。
【００８３】
次に、サブＣＰＵ８０では、ステップＳ５６でメインＣＰＵ７０から動作終了が通知されたことを確認し、ステップＳ５７でＤＣ／ＤＣコンバータ８２をオフする。ＤＣ／ＤＣコンバータ８２は所定のデバイスのみをオンするようにしてもよい。例えば、操作された方の液晶表示素子２０２又は２０３のみを駆動するようにしてもよい。
【００８４】
また、本第２実施形態においては、画像の書き込み後直ちに、キー入力及びタッチパネルへのペンダウン検知に最低限必要な回路部分以外の回路をオフしたり、ごく低消費電力の回路にのみ通電を行うように制御することにより、効果的に省電力化を図ることができる。従って、本第２実施形態のような電池等を電源とする携帯電子機器において、パワーセーブに有効である。
【００８５】
また、このような省電力状態下においても書き込んだ画像は保持されており、画面の書換えが必要になればキー入力及びペンダウンにより直ちにメインＣＰＵ７０が起床モードに移って画像の書き換えを実行することができるので、省電力化のために操作性が損われることもない。特に、連続的なページ送り操作などの場合は駆動回路が継続してオン状態に保たれるので操作に支障をきたすことはなく、単発的な操作の場合は駆動回路を直ちにオフするので省電力効果は高く保たれる。
【００８６】
本第２実施形態では電源スイッチを設けていないが、操作者が必要とするときに電子書籍装置２００を開けてやれば表示内容を直ちに確認でき、書き換えが必要であればキー操作やペンダウンなどにより書き換えを指示してやれば画面の書き換えが可能となる。従って、電源スイッチを切り忘れて電池を消耗してしまったり、オートパワーオフ機構が作動して表示画面が消えてしまうといった問題がなくなる。
【００８７】
また、常に起床しているサブＣＰＵ８０に、メインＣＰＵ７０の起床のトリガとなる信号の監視を行わせるようにしたので、メインＣＰＵ７０にはスリープ状態からの起床を行うための割込み用の入力端子は一つで済む。
【００８８】
なお、本第２実施形態において、サブＣＰＵ８０は常に作動するものを採用しているが、スリープモードを有するものを使用し、より一層の省電力化を図るようにしてもよい。スリープモードを有するサブＣＰＵを使用する場合、タッチパネルへのペンダウン又は操作キーの操作でサブＣＰＵに割込み信号を与え、通常モードへ復帰させるようにすればよい。
【００８９】
本第２実施形態の電子書籍装置２００のような携帯電子機器においては、反射型液晶表示素子を用いることにより、屋外での使用に有利である。即ち、外光の下でコントラストが低くなることがなく視認しやすい表示ができ、表示のためのバックライトも不要である。このような観点から、本第２実施形態は電子書籍装置に限らず各種の携帯電子機器にも適用可能である。即ち、携帯電話、ＰＤＡ、記憶媒体の内容表示等を行う携帯オーディオ機器（例えば、携帯ＭＤプレーヤ、携帯ＣＤプレーヤ）などの携帯電子機器全般にも有効である。
【００９０】
（第３実施形態、図１８〜図２０参照）
図１８は本発明の第３実施形態である情報表示端末機器（携帯電話機）３００の外観を示す。この携帯電話機３００は電子メールをも送受信可能としたもので、各種情報を表示する液晶表示素子３０１と、使用者が各種の入力を行う操作パネル３０２と、通話のためのスピーカ３０３、マイクロフォン３０４及びアンテナ３０５等を備えている。
【００９１】
液晶表示素子３０１は表面にタッチパネルを備えた点以外は前記第１実施形態で説明したのと同様のコレステリック相を示すものが使用されている。この液晶表示素子３０１には、発信しようとする相手方電話番号、電子メールアドレス、電子文書、画像、送受信日時、電波の受信状況を示すマーク、バッテリの状態等の各種情報が表示される。
【００９２】
図１９は前記携帯電話機３００の制御回路を示す。この制御回路は、ＬＣＤコントローラの機能を内蔵して全体的な制御を行うＣＰＵ３１０を中心として構成され、ＣＰＵ３１０にはＲＯＭ３１１、ＲＡＭ３１２が内蔵され、かつ、電源３１３を備えている。このＣＰＵ３１０には、前記液晶表示素子３０１、操作パネル３０２、さらには照明３１５、画像メモリ３１６、画像処理回路３１７、電源部としてのＤＣ／ＤＣコンバータ３１８が接続されている。
【００９３】
さらに、ＣＰＵ３１０には、スピーカ３０３とマイクロフォン３０４とが音声処理回路３２１を介して接続され、アンテナ３０５が無線送受信回路３２２を介して接続されている。
【００９４】
図１８に示すように、電話やメールの着信があると、ＣＰＵ３１０は液晶表示素子３０１を一時的に駆動して着信情報（例えば、着信日時、電話かメールかの種別、着信件数、発信元情報、タイトル、サイズなど）を表示すると共に、記憶する。
【００９５】
図２０にＣＰＵ３１０が処理する制御手順を示す。ＣＰＵ３１０は操作パネル３０２上のキー操作又は着信による割込み信号に基づいて起床する。ＣＰＵ３１０は起床すると、ステップＳ７１でＣＰＵ３１０をスリープ状態へ移行させるためのタイマをリセットしてスタートさせる。
【００９６】
キー操作による起床の場合（ステップＳ７２でＹＥＳ）、ステップＳ７３でＤＣ／ＤＣコンバータ３１８をオンし、ステップＳ７４でキー入力に合わせて表示を更新する。ステップＳ７５でキー入力の終了と判定されるまで、ＤＣ／ＤＣコンバータ３１８のオン状態を維持し、キー入力の終了と判定されるとステップＳ７６でＤＣ／ＤＣコンバータ３１８をオフする。これにて、相手方の電話番号やメールアドレス、文書等のキー入力をスムーズに行うことができる。
【００９７】
次に、ステップＳ７７で送信指令が入力されたことを確認すると、ステップＳ７８で送信・通話を処理し、それが終了すると（ステップＳ７９でＹＥＳ）、スリープ状態になる。また、送信指令がなく、ステップＳ８０で前記スリープタイマのカウントアップを確認すると、ステップＳ８１で入力の内容を消去し、スリープ状態になる。
【００９８】
スリープタイマがカウントアップするまでは（ステップＳ８０でＮＯ）、ステップＳ８２でキー入力を待ち、キー入力があればステップＳ８３でスリープタイマをリセットしてスタートさせる。
【００９９】
一方、ＣＰＵ３１０が着信によって起床した場合（ステップＳ８４でＹＥＳ）、ステップＳ８５でデータを受信し、ステップＳ８６で受信終了が確認されると、ステップＳ８７でＤＣ／ＤＣコンバータ３１８をオンする。そして、ステップＳ８８で着信を液晶表示素子３０１に表示し、ステップＳ８９でＤＣ／ＤＣコンバータ３１８をオフし、スリープ状態になる。
【０１００】
以上の如く、液晶表示素子３０１に表示された着信情報は、表示後に液晶表示素子３０１の駆動部をオフしても、液晶のメモリ性によって保持され、何ら支障を生じない。また、表示はバックライトがなくても視認することができ、省エネルギー化に適している。しかも、最低限の電力で着信があったことを使用者に理解させることができる。
【０１０１】
なお、本第３実施形態は携帯電話機に限らず各種の情報電子機器にも適用可能である。例えば、メール用携帯機器、ページャ、ファクシミリ等における着信情報表示に適用することができる。さらに、ラジオ受信器、テレビ受像機、ＶＴＲ等における番組情報の表示などにも適用できる。
【０１０２】
（第４実施形態、図２１〜図２３参照）
図２１は本発明の第４実施形態であるオンライン表示端末装置４００を示す。この表示端末装置４００は、複数の装置４００が一つのホスト装置４２０と接続ライン４２５（専用ケーブル、電話回線、あるいは無線）によって接続され、オンライン広告板として機能する。各表示端末装置４００は正面に液晶表示素子４０１を備え、内蔵された不揮発性メモリに記憶されている広告情報、あるいはホスト装置４２０から送信される広告情報を液晶表示素子４０１に表示する。表示端末装置４００のオン、オフや表示する広告情報の順序等はホスト装置４２０からの指示に基づく。従って、この表示端末装置４００では電源部を備えてはいるが電源スイッチは備えていない。
【０１０３】
液晶表示素子４０１としては前記第１実施形態で説明したのと同様のコレステリック相を示すものが使用されている。
【０１０４】
図２２は前記表示端末装置４００の制御回路を示す。この制御回路は、ＲＯＭ４３１、ＲＡＭ４３２を内蔵して全体的な制御を行うＣＰＵ４３０を中心として構成されている。ＣＰＵ４３０には前記液晶表示素子４０１の駆動ＩＣ４３５がＬＣＤコントローラ４３４を介して接続され、さらに、電源部としてのＤＣ／ＤＣコンバータ４３６、画像処理回路４３７、画像メモリ４３８が接続されている。また、ＣＰＵ４３０及び画像処理回路４３７にはホスト装置４２０からの信号がインターフェース４３９を介して入力される。
【０１０５】
図２３にＣＰＵ４３０が処理する制御手順を示す。ＣＰＵ４３０はホスト装置４２０からの割込み信号に基づいて起床し、ステップＳ１０１でホスト装置４２０からのデータの受信を処理する。ステップＳ１０２で受信終了が確認されると、ステップＳ１０３でＤＣ／ＤＣコンバータ４３６をオンする。そして、ステップＳ１０４で液晶表示素子４０１の表示を更新し、ステップＳ１０５でＤＣ／ＤＣコンバータ４３６をオフし、スリープ状態になる。
【０１０６】
なお、本第４実施形態は広告板としての使用方法に限らず、種々のオンライン表示端末装置に適用可能である。例えば、案内板、掲示板、時刻表、値札、電子新聞、得点板、会議資料表示板などとして使用することができる。
【０１０７】
（第５実施形態、図２４〜図２６参照）
図２４は本発明の第５実施形態である電子フォトフレーム５００を示す。この電子フォトフレーム５００はメモリカード５１０をスロット５０２に着脱可能であり、メモリカード５１０に記憶された画像データを読み出して液晶表示素子５０１上に表示する。液晶表示素子５０１としては前記第１実施形態で説明したのと同様のコレステリック相を示すものが使用されている。
【０１０８】
メモリカード５１０をスロット５０２に装填すると、その第１ページの画像が表示され、下部にあるページ送りキー５０３及びページ戻しキー５０４を操作することで、画像が更新される。また、タイマを内蔵させて一定時間ごとに画像を順次更新するようにしてもよい。
【０１０９】
図２５は前記電子フォトフレーム５００の制御回路を示す。この制御回路は、ＲＯＭ５３１、ＲＡＭ５３２を内蔵した全体的な制御を行うＣＰＵ５３０を中心として構成されている。ＣＰＵ５３０には前記液晶表示素子５０１の駆動ＩＣ５３５がＬＣＤコントローラ５３４を介して接続され、さらに、キー５０３，５０４、電源部としてのＤＣ／ＤＣコンバータ５３６、画像メモリ５３８を備えた画像処理回路５３７がそれぞれ接続されている。また、前記メモリカード５１０からのデータはＩ／Ｏコントローラ５３９を介してＣＰＵ５３０及び画像処理回路５３７へ入力される。
【０１１０】
図２６にＣＰＵ５３０が処理する制御手順を示す。ＣＰＵ５３０はメモリカード５１０の装填信号又はキー５０３，５０４の操作信号に基づいて起床し、ステップＳ１１１でメモリカード５１０からデータを読み出す。ステップＳ１１２で読出しの終了が確認されると、ステップＳ１１３でＤＣ／ＤＣコンバータ５３６をオンする。そして、ステップＳ１１４で液晶表示素子５０１の表示を更新し、ステップＳ１１５でＤＣ／ＤＣコンバータ５３６をオフし、スリープ状態になる。
【０１１１】
本第５実施形態に示す電子フォトフレーム５００はスタンドアローンで使用され、通信手段を有するものではなく、通信による電力の消費がない利点を有している。
【０１１２】
なお、本第５実施形態は電子フォトフレーム以外にも、自動販売機の表示装置、料理店でのメニュー表示装置、時計、タイマ等に適用可能である。
【０１１３】
（他の実施形態）
なお、本発明に係る液晶表示装置及び表示システムは前記実施形態に限定するものではなく、その要旨の範囲内で種々に変更することができる。
【０１１４】
特に、液晶表示装置の外観や表示素子の着脱機構の構成は任意である。また、液晶に関しては、種々のセル構成や駆動方法を採用することができる。
【図面の簡単な説明】
【図１】本発明の第１実施形態である液晶表示装置を示す斜視図、ディスプレイが縦置きの場合を示す。
【図２】前記液晶表示装置を示す斜視図、ディスプレイが横置きの場合を示す。
【図３】前記液晶表示装置において、液晶表示素子を取り出した状態を示す斜視図。
【図４】前記液晶表示装置の断面図。
【図５】ディスプレイとして用いられる液晶表示素子の一例を示す断面図。
【図６】前記液晶表示素子のフィルム基板上に柱状構造物及びシール材を形成した状態を示す平面図。
【図７】前記液晶表示素子の製作工程を示す説明図。
【図８】前記液晶表示装置の電源回路を示すブロック図。
【図９】前記液晶表示装置の制御回路を示すブロック図。
【図１０】前記液晶表示素子のマトリクス駆動回路を示すブロック図。
【図１１】制御手順のメインルーチンを示すフローチャート図。
【図１２】画面更新のサブルーチンを示すフローチャート図。
【図１３】省電力処理のサブルーチンを示すフローチャート図。
【図１４】本発明の第２実施形態である電子書籍装置を示す斜視図。
【図１５】前記電子書籍装置の制御回路を示すブロック図。
【図１６】前記電子書籍装置におけるサブＣＰＵの制御手順を示すフローチャート図。
【図１７】前記電子書籍装置におけるメインＣＰＵの制御手順を示すフローチャート図。
【図１８】本発明の第３実施形態である携帯電話機を示す正面図。
【図１９】前記携帯電話機の制御回路を示すブロック図。
【図２０】前記携帯電話機におけるＣＰＵの制御手順を示すフローチャート図。
【図２１】本発明の第４実施形態であるオンライン表示端末装置を示す斜視図。
【図２２】前記オンライン表示端末装置の制御回路を示すブロック図。
【図２３】前記オンライン表示端末装置におけるＣＰＵの制御手順を示すフローチャート図。
【図２４】本発明の第５実施形態である電子フォトフレームを示す斜視図。
【図２５】前記電子フォトフレームの制御回路を示すブロック図。
【図２６】前記電子フォトフレームにおけるＣＰＵの制御手順を示すフローチャート図。
【符号の説明】
１０…液晶ディスプレイ装置
５１…中央処理装置
５５…ＬＣＤコントローラ
５９（１３１，１３２）…駆動ＩＣ
７０…メインＣＰＵ
８０…サブＣＰＵ
８２…ＤＣ／ＤＣコンバータ
９３…ＬＣＤコントローラ
１００…液晶表示素子
１３７…昇圧回路
２０２，２０３…液晶表示素子
３００…携帯電話機
３０１…液晶表示素子
３１０…ＣＰＵ
３１８…ＤＣ／ＤＣコンバータ
４００…オンライン表示端末装置
４０１…液晶表示素子
４３０…ＣＰＵ
４３４…ＬＣＤコントローラ
４３６…ＤＣ／ＤＣコンバータ
５００…電子フォトフレーム
５０１…液晶表示素子
５１０…メモリカード
５３０…ＣＰＵ
５３４…ＬＣＤコントローラ
５３６…ＤＣ／ＤＣコンバータ
【図１】
0003726824.tif 000002
【図２】
0003726824.tif 000003
【図３】
0003726824.tif 000004
【図４】
0003726824.tif 000005
【図５】
0003726824.tif 000006
【図６】
0003726824.tif 000007
【図７】
0003726824.tif 000008
【図８】
0003726824.tif 000009
【図９】
0003726824.tif 000010
【図１０】
0003726824.tif 000011
【図１１】
0003726824.tif 000012
【図１２】
0003726824.tif 000013
【図１３】
0003726824.tif 000014
【図１４】
0003726824.tif 000015
【図１５】
0003726824.tif 000016
【図１６】
0003726824.tif 000017
【図１７】
0003726824.tif 000018
【図１８】
0003726824.tif 000019
【図１９】
0003726824.tif 000020
【図２０】
0003726824.tif 000021
【図２１】
0003726824.tif 000022
【図２２】
0003726824.tif 000023
【図２３】
0003726824.tif 000024
【図２４】
0003726824.tif 000025
【図２５】
0003726824.tif 000026
【図２６】
0003726824.tif 000027